(57)【要約】【課題】設定情報を導入した際に、本構成を有しない場合に比べて調整情報の抑制を図った設定記憶装置を提供する。【解決手段】導入対象の設定情報に調整情報が関連づけられている場合、その調整情報も導入する。その際に、記憶部１に記憶されている調整情報のうち、予め決められた項目の内容が、導入しようとしている調整情報中の予め決められた項目の内容となっている調整情報が存在していれば、その存在している調整情報を設定情報に関連づけて記憶部１に記憶させる。この場合、導入しようとしていた調整情報は記憶部１に記憶させず、調整情報の増加を抑える。予め決められた項目の内容が、導入しようとしている調整情報中の予め決められた項目の内容となっている調整情報が存在しなければ、設定情報と、その設定情報に関連づけられている調整情報を記憶部１に記憶させる。【選択図】図１
2015074179.tif 000002
【特許請求の範囲】
【請求項１】
設定情報と１以上の調整情報を関連づけて記憶する記憶手段と、設定情報を導入する際に該設定情報に関連づけた調整情報中の予め決められた項目について前記記憶手段に記憶されている調整情報の内容と比較した結果に従って前記記憶手段に記憶されている調整情報と関連づけて設定情報を記憶させるか設定情報及び関連づけてある調整情報を記憶させるかを制御する制御手段を有することを特徴とする設定記憶装置。
【請求項２】
前記制御手段は、調整情報の内容を比較する際に、前記項目について比較するか、全内容について比較するかを、設定に従って切り替えることを特徴とする請求項１に記載の設定記憶装置。
【請求項３】
さらに、前記項目を設定する設定手段を有することを特徴とする請求項１または請求項２に記載の設定記憶装置。
【請求項４】
画像形成手段と、請求項１から請求項３のいずれか１項に記載の設定記憶装置と、前記設定記憶装置に記憶されている設定情報および調整情報に従って前記画像形成手段を動作させる形成制御手段を有することを特徴とする画像形成装置。
【請求項５】
コンピュータに、請求項１から請求項３のいずれか１項に記載の制御手段の機能を実行させるものであることを特徴とする設定記憶制御プログラム。
【発明の詳細な説明】
【技術分野】
【０００１】
本発明は、設定記憶装置及び画像形成装置、設定記憶制御プログラムに関するものである。
【背景技術】
【０００２】
種々の装置においては予め行われた設定に従って動作するものがあり、旧来は各装置で設定を行っていた。設定した情報を他の装置にも転送して利用する形態も開発され、近年では外部のコンピュータなどで設定して各装置へ導入することも行われるようになってきた。例えば画像を用紙等に形成する機能を有する画像形成装置では、予め使用する用紙の情報が設定された情報を導入する機能を有するものがある。また特許文献１では、電話帳情報などの設定情報を他の機器で作成しておき、その設定情報を導入（インポート）することが記載されている。このような技術では、例えば１台の装置あるいはコンピュータで設定を行い、その設定情報を複数台の装置に導入することで、各装置における重複した設定が省略される。
【０００３】
設定情報は、各装置の調整情報と関連づけられている場合がある。特許文献１では、電話帳情報などの設定情報から他の設定情報を参照している場合がある。この場合、設定情報のエクスポートの際に参照情報については実体情報に変換しておいて、その設定情報を導入している。
【０００４】
また、例えば上述の画像形成装置における用紙の設定を行う設定情報では、アライメント調整や折り調整などの調整情報と関連づけられている場合がある。このように設定情報が調整情報と関連づけられている場合、ある装置へ設定情報を導入する際には関連づけられている調整情報も導入することになる。
【０００５】
例えば、ある装置に存在していない設定情報を当該装置へ導入しようとした場合に、関連づけられている調整情報と内容が類似した調整情報が当該装置に存在していることがある。内容が類似した調整情報が存在していたとしても、従来は設定情報を導入する際に調整情報も導入しており、内容が重複する調整情報がいくつも存在する場合が生じている。
【先行技術文献】
【特許文献】
【０００６】
【特許文献１】特開２０１１−１１６０８８号公報
【発明の概要】
【発明が解決しようとする課題】
【０００７】
本発明は、設定情報を導入した際に、本構成を有しない場合に比べて調整情報の抑制を図った設定記憶装置および画像形成装置、設定記憶制御プログラムを提供することを目的とするものである。
【課題を解決するための手段】
【０００８】
本願請求項１に記載の発明は、設定情報と１以上の調整情報を関連づけて記憶する記憶手段と、設定情報を導入する際に該設定情報に関連づけた調整情報中の予め決められた項目について前記記憶手段に記憶されている調整情報の内容と比較した結果に従って前記記憶手段に記憶されている調整情報と関連づけて設定情報を記憶させるか設定情報及び関連づけてある調整情報を記憶させるかを制御する制御手段を有することを特徴とする設定記憶装置である。
【０００９】
本願請求項２に記載の発明は、本願請求項１に記載の発明における前記制御手段が、調整情報の内容を比較する際に、前記項目について比較するか、全内容について比較するかを、設定に従って切り替えることを特徴とする設定記憶装置である。
【００１０】
本願請求項３に記載の発明は、本願請求項１または請求項２に記載の発明の構成に、さらに、前記項目を設定する設定手段を有することを特徴とする設定記憶装置である。
【００１１】
本願請求項４に記載の発明は、画像形成手段と、請求項１から請求項３のいずれか１項に記載の設定記憶装置と、前記設定記憶装置に記憶されている設定情報および調整情報に従って前記画像形成手段を動作させる形成制御手段を有することを特徴とする画像形成装置である。
【００１２】
本願請求項５に記載の発明は、コンピュータに、請求項１から請求項３のいずれか１項に記載の制御手段の機能を実行させるものであることを特徴とする設定記憶制御プログラムである。
【発明の効果】
【００１３】
本願請求項１に記載の発明によれば、設定情報を導入した際に、本構成を有しない場合に比べて調整情報の抑制を図ることができるという効果がある。
【００１４】
本願請求項２に記載の発明によれば、記憶されている調整情報をどの程度使用するかを切り替えることができる。
【００１５】
本願請求項３に記載の発明によれば、調整情報中の比較対象とする項目を設定することができる。
【００１６】
本願請求項４に記載の発明によれば、設定情報を導入した際に、本構成を有しない場合に比べて調整情報の抑制を図ることができる。
【００１７】
本願請求項５に記載の発明によれば、本願請求項１から請求項３のいずれか１項に記載の発明の効果を得ることができる。
【図面の簡単な説明】
【００１８】
【図１】本発明の設定記憶装置の実施の一形態を示す構成図である。
【図２】本発明の設定記憶装置の実施の一形態における動作の一例を示す流れ図である。
【図３】本発明の設定記憶装置の実施の一形態における設定情報の導入の一具体例の概念図である。
【図４】本発明の画像形成装置の実施の一形態を示す構成図である。
【図５】本発明の画像形成装置の実施の一形態における設定情報及び調整情報の一例の説明図である。
【図６】本発明の設定記憶装置の実施の一形態における調整情報の修正の一具体例の説明図である。
【図７】本発明の設定記憶装置の実施の一形態で説明した記憶制御部の機能をコンピュータプログラムで実現した場合におけるコンピュータプログラム及びそのコンピュータプログラムを格納した記憶媒体とコンピュータの一例の説明図である。
【発明を実施するための形態】
【００１９】
図１は、本発明の設定記憶装置の実施の一形態を示す構成図である。図中、１は記憶部、２は記憶制御部、３は設定部である。記憶部１は、設定情報及び調整情報などを記憶する。設定情報は、１以上の調整情報と関連づけておいてよい。
【００２０】
記憶制御部２は、記憶部１への情報の書き込み及び情報の読み出しを制御する。他の装置あるいは外部のコンピュータなどで作成された設定情報を導入する際には、設定情報に関連づけられている調整情報についても導入する。その際に、導入対象の設定情報に関連づけた調整情報中の予め決められた項目について、記憶部１に記憶されている調整情報の内容と比較する。比較の結果に従って、記憶部１に記憶されている調整情報と関連づけて設定情報を記憶させるか、あるいは、設定情報及びその設定情報に関連づけられている調整情報を記憶させるかを制御する。
【００２１】
より具体的には、記憶部１に記憶されている調整情報のうち、予め決められた項目の内容が、導入しようとしている調整情報中の予め決められた項目の内容となっている調整情報が存在していれば、その存在している調整情報を設定情報に関連づけて、設定情報を記憶部１に記憶させる。この場合、導入しようとしていた調整情報は記憶部１に記憶させず、調整情報の増加を抑える。予め決められた項目の内容が、導入しようとしている調整情報中の予め決められた項目の内容となっている調整情報が存在しなければ、設定情報と、その設定情報に関連づけられている調整情報を記憶部１に記憶させる。
【００２２】
なお、調整情報の内容を比較する際には、比較対象とする項目を予め決められた項目に限定するか、あるいは全内容とするかを、設定に従って切り替えるようにしたり、比較対象とする項目を後述する設定部３により設定するように構成してもよい。また、内容の比較は、比較する両者が各項目について予め決められた範囲内であるか否かにより行ってもよい。
【００２３】
また、導入対象の調整情報を記憶部１に記憶させる際に、予め取得されている装置に固有の調整値に従って、調整情報の内容を修正するとよい。さらに、複数の設定情報を一括して導入する機能を有していてもよい。さらにまた、記憶部１に記憶されている設定情報と調整情報を読み出し、外部または他の装置へ転送する機能を有していてもよい。
【００２４】
設定部３は、記憶制御部２で調整情報の内容を比較する際の項目を利用者が設定する。記憶制御部２では、比較対象の項目以外は異なっていても記憶部１に記憶されている調整情報を使用することから、異なった内容の調整情報が使用されては不具合が生じる項目については、少なくとも比較対象として設定しておく。そのほかの項目については、比較対象とする項目を増やせば記憶部１に記憶されている調整情報が使用される場合が減少して調整情報の総数は増加し、比較対象とする項目を減らせば記憶部１に記憶されている調整情報の使用が増加して調整情報の総数の増加は抑えられる。このような調整情報の増加の程度と各項目を比較する重要性とを勘案して、比較対象とする項目を設定すればよい。
【００２５】
なお、全項目を比較対象とするか、あるいは予め決められた項目を比較対象とするかを、この設定部３で設定するように構成してもよい。また、比較対象とする項目を固定する場合には、この設定部３を設けずに構成してもよい。
【００２６】
記憶部１、記憶制御部２、設定部３は、ある装置に共存していてもよいし、いずれか、あるいはそれぞれが別の装置に配置され、例えば通信路などを介して接続されている構成であってもよい。
【００２７】
図２は、本発明の設定記憶装置の実施の一形態における動作の一例を示す流れ図である。ここでは、１つの設定情報について導入する場合の動作の一例を示している。
【００２８】
Ｓ５１において、導入対象の設定情報を取得する。Ｓ５２において、取得した設定情報に、調整情報との関連づけが行われているか否かを判断する。関連づけられている調整情報が存在しなければ、Ｓ６１において、設定情報を記憶部１に記憶させ、当該設定情報に関する導入処理を終了する。
【００２９】
Ｓ５２で調整情報との関連づけが存在すると判断された場合には、Ｓ５３において、関連づけられている調整情報を特定して取得する。この動作例では、取得した調整情報について、導入する装置に応じた修正を行う。Ｓ５４において、調整情報を導入する装置において予め取得されている、装置に固有の調整値を取得し、Ｓ５５において、調整情報の内容を調整値に従って再計算して修正する。このような修正を行っておけば、改めて当該装置に応じた調整を行わなくてもよい。また、後述する内容の比較の際に、当該装置に応じて設定されている調整情報の比較が行われることになる。もちろん、装置に依存した情報が調整情報に存在しなければ、Ｓ５４及びＳ５５の処理は不要である。
【００３０】
Ｓ５６において、導入対象の調整情報中の予め決められた項目について、記憶部１に記憶されている調整情報の内容と比較する。比較する項目は、固定された項目でもよいし、設定部３によって設定された項目でもよい。全項目の比較が指定されている場合もある。複数の調整情報が記憶部１に記憶されている場合には、それぞれの調整情報について、予め決められた項目の比較を行う。
【００３１】
Ｓ５７において、記憶部１に記憶されている調整情報に、予め決められた項目の内容が導入対象の調整情報の内容となっている調整情報が存在するか否かを判断する。存在しなければ、Ｓ５８において、導入対象の調整情報を記憶部１に記憶させる。
【００３２】
Ｓ５７で予め決められた項目の内容が導入対象の調整情報の内容となっている調整情報が存在すると判断された場合には、Ｓ５９において、その存在している調整情報を導入対象の設定情報に関連づける。なお、予め決められた項目の内容が導入対象の調整情報の内容となっている調整情報が複数存在する場合には、そのいずれかの調整情報を設定情報に関連づければよい。例えば、予め決められた項目以外の内容についても比較し、内容が最も類似する調整情報を選択したり、予め決められた項目以外の項目に順序付けして、優先度が高い項目について導入対象の調整情報の内容となっている調整情報を選択するなど、種々の方法により選択すればよい。このＳ５９では、導入対象の調整情報は記憶部１へ記憶させない。
【００３３】
Ｓ５８、Ｓ５９の処理の後、Ｓ６０において、当該設定情報に、ほかに調整情報との関連づけが行われているか否かを判定する。ほかにも未処理の調整情報と関連づけられている場合にはＳ５３へ戻って未処理の調整情報を取得して、その調整情報についての処理を行う。未処理の調整情報との関連づけが存在しなければ、Ｓ６１において、設定情報を記憶部１に記憶させ、当該設定情報に関する導入処理を終了する。
【００３４】
Ｓ６１で記憶させる設定情報は、Ｓ５９で調整情報との関連づけを書き換えている場合がある。すなわち、設定情報を導入する際に、その設定情報が調整情報と関連づけられており、予め決められた項目の内容が導入対象の調整情報の内容となっている調整情報が存在する場合には、導入対象の調整情報は記憶部１へ記憶させないで、記憶部１に記憶されている調整情報を用いることになる。従って、この場合には記憶部１に記憶されている調整情報は増加しない。
【００３５】
なお、設定情報を複数導入する場合には、それぞれの設定情報について上述の処理を行えばよい。
【００３６】
図３は、本発明の設定記憶装置の実施の一形態における設定情報の導入の一具体例の概念図である。図３（Ａ）には導入前の各情報について示している。この具体例では、設定情報として「Ｋ０１」、「Ｋ０２」、「Ｋ０３」の３つが示されており、「Ｋ０１」は名称が「Ａ０１」の調整情報と、「Ｋ０２」は名称が「Ａ０２」の調整情報と、それぞれ関連づけられている。一方、記憶部１には調整情報として名称が「Ｂ０１」、「Ｂ０２」、「Ｂ０３」の調整情報が記憶されている。この状態で、設定情報を導入する。
【００３７】
設定情報を導入した後の状態を図３（Ｂ）に示している。まず、設定情報「Ｋ０１」を導入する場合について説明する。設定情報「Ｋ０１」には、調整情報「Ａ０１」が関連づけられている。記憶部１に記憶されている調整情報「Ｂ０１」、「Ｂ０２」、「Ｂ０３」に、予め決められた項目の内容が導入対象の調整情報「Ａ０１」の内容となっているものが存在するか否かを判断する。ここでは、調整情報「Ｂ０２」の予め決められた項目の内容が、導入対象の調整情報「Ａ０１」の内容となっているものとする。この場合、調整情報「Ａ０１」に代えて記憶部１に記憶されている調整情報「Ｂ０２」を設定情報「Ｋ０１」に関連づけ、設定情報「Ｋ０１」を記憶部１に記憶させる。すでに記憶部１に記憶されている調整情報「Ｂ０２」を使用することから、調整情報「Ａ０１」は記憶部１に記憶させない。従って、この場合には記憶部１に記憶されている調整情報の増加は生じない。
【００３８】
次に、設定情報「Ｋ０２」を導入する場合について説明する。設定情報「Ｋ０２」には、調整情報「Ａ０２」が関連づけられている。記憶部１に記憶されている調整情報「Ｂ０１」、「Ｂ０２」、「Ｂ０３」に、予め決められた項目の内容が導入対象の調整情報「Ａ０２」の内容となっているものが存在するか否かを判断する。ここでは、そのような調整情報が記憶部１には記憶されていないとする。この場合、調整情報「Ａ０２」の代替となる調整情報は記憶部１に存在しないことから、導入しようとしている設定情報「Ｋ０２」及び調整情報「Ａ０２」を記憶部１に記憶させる。
【００３９】
設定情報「Ｋ０３」については、調整情報と関連づけられておらず、そのまま記憶部１に記憶させればよい。
【００４０】
このようにして、設定情報を導入する際に、関連づけられている調整情報についても導入される。従って、改めて設定情報や調整情報を作成しなくてもよい。調整情報を導入する際に、予め決められた項目の内容が導入対象の調整情報の内容となっている調整情報が記憶部１に記憶されていれば、その記憶部１に存在する調整情報を使用することから、そのまま調整情報を導入する場合に比べて調整情報の増加が抑えられる。
【００４１】
ここでは調整情報に対する装置に依存した修正について触れていないが、もちろん、このような修正を行ってから記憶部１に記憶させるようにしてもよい。
【００４２】
図４は、本発明の画像形成装置の実施の一形態を示す構成図である。図中、１１は画像形成部、１２は設定記憶部、１３は形成制御部である。画像形成部１１は、形成制御部１３による制御に従い、与えられた画像を用紙等の媒体上に形成する。
【００４３】
設定記憶部１２は、上述の設定記憶装置の実施の一形態で説明した構成、少なくとも記憶部１を含んでおり、設定情報及び調整情報などを記憶する。上述したように、設定情報は１以上の調整情報と関連づけられている場合がある。
【００４４】
形成制御部１３は設定記憶部１２に記憶されている設定情報および調整情報に従って画像形成部１１を動作させる。なお、上述の設定記憶装置の実施の一形態で説明した記憶制御部２の機能を、この形成制御部１３に含めた構成としてもよい。
【００４５】
図５は、本発明の画像形成装置の実施の一形態における設定情報及び調整情報の一例の説明図である。図５（Ａ）には設定情報の一例を示している。この設定情報は使用する用紙に関する情報であり、この例では大きさ、用紙タイプ、コートの有無、１組の枚数、パンチ穴の有無、位置調整、折り調整の各設定項目を示している。もちろん、このほかにも種々の設定項目が存在していてもよいし、このうちのいくつかについて設定項目としていなくてもよい。
【００４６】
これらの設定項目のうち、この例では位置調整と折り調整について、調整情報を参照する場合がある。例えば名称が「Ｋ０１」の設定情報では、位置調整の設定項目は調整情報「Ａ０１」を参照していることを示している。また、名称が「Ｋ０２」の設定情報では、折り調整の設定項目は調整情報「Ａ０２」を参照していることを示している。
【００４７】
図５（Ｂ）には、調整情報の一例として画像を形成する位置を調整する情報を有する場合に、その調整情報に含まれる情報の一例の概略を示している。この例では、用紙位置、直角度、斜行度、倍率、用紙色の各項目について設定されるものとしている。ここでは、設定情報「Ｋ０１」に関連づけられている調整情報「Ａ０１」と、記憶部１に記憶されている調整情報「Ｂ０１」、「Ｂ０２」の例を示している。
【００４８】
図５（Ｃ）には、調整情報の一例として折り調整の情報を有する場合に、その調整情報に含まれる情報の一例の概略を示している。折り調整の調整量は、用紙を折った場合に、その端のずれ量を示す。そのほかに、用紙の質量、用紙色などの項目について設定されているものとしている。ここでは、設定情報「Ｋ０２」に関連づけられている調整情報「Ａ０２」と、記憶部１に記憶されている調整情報「Ｂ０３」の例を示している。
【００４９】
このような設定情報及び調整情報が、ある画像形成装置で作成されて別の画像形成装置へ導入され、あるいは別の装置で作成されて各画像形成装置へ導入される。その際に、設定記憶部１２では上述の本発明の設定記憶装置の実施の一形態で説明した動作により、例えば図２に示した動作の一例に従って動作し、設定情報及び調整情報が導入され、設定記憶部１２に記憶されることになる。
【００５０】
設定情報及び調整情報を導入する際の具体例として、図５に示した具体例について図３を用いて一例を説明する。設定情報「Ｋ０１」を導入する際には、設定情報「Ｋ０１」に調整情報「Ａ０１」が関連づけられている。記憶部１に記憶されている調整情報「Ｂ０１」、「Ｂ０２」、「Ｂ０３」に、予め決められた項目の内容が導入対象の調整情報「Ａ０１」の内容となっているものが存在するか否かを判断する。
【００５１】
例えば図５（Ｂ）に示した画像を形成する位置を調整する調整情報では、用紙位置、直角度、斜行度、倍率などの各項目は画像を形成する位置に関係する。従って、予め決められた項目として用紙位置、直角度、斜行度、倍率などの項目を設定しておけばよい。用紙色の項目については、直接的には画像を形成する位置には関係しない。従って、用紙色については比較する項目から除外し、導入しようとしている調整情報と異なる内容の調整情報が関連づけられたとしても問題は生じない。
【００５２】
予め決められた項目を用紙位置、直角度、斜行度、倍率として、導入しようとしている調整情報「Ａ０１」と記憶部１に記憶されている調整情報「Ｂ０１」、「Ｂ０２」の予め決められた項目の内容を比較する。すると、予め決められた項目の内容が導入しようとしている調整情報「Ａ０１」の内容となっている調整情報として、調整情報「Ｂ０２」が存在する。この場合、用紙色の項目については異なるが、調整情報「Ｂ０２」を使用することとし、調整情報「Ｂ０２」を設定情報「Ｋ０１」に関連づけ、設定情報「Ｋ０１」を記憶部１に記憶させる。すでに記憶部１に記憶されている調整情報「Ｂ０２」を使用することから、調整情報「Ａ０１」は記憶部１に記憶させない。従って、この場合には記憶部１に記憶されている調整情報の増加は生じない。
【００５３】
また、例えば設定情報「Ｋ０２」を導入する際には、設定情報「Ｋ０２」に調整情報「Ａ０２」が関連づけられていることから、記憶部１に記憶されている調整情報「Ｂ０１」、「Ｂ０２」、「Ｂ０３」に、予め決められた項目の内容が導入対象の調整情報「Ａ０２」の内容となっているものが存在するか否かを判断する。
【００５４】
例えば図５（Ｃ）に示した画像を形成する位置を調整する調整情報では、折り調整の調整量、質量などの各項目は用紙を折る際に関係する。従って、予め決められた項目として調整量、質量などの項目を設定しておけばよい。用紙色の項目については、直接的には用紙を折る際には関係しない。従って、用紙色については比較する項目から除外し、導入しようとしている調整情報と異なる内容の調整情報が関連づけられたとしても問題は生じない。
【００５５】
予め決められた項目を調整量、質量として、導入しようとしている調整情報「Ａ０２」と記憶部１に記憶されている調整情報「Ｂ０３」の予め決められた項目の内容を比較する。すると、予め決められた項目の内容について、両者は異なっている。また、調整情報「Ｂ０１」、「Ｂ０２」は画像を形成する位置を調整する調整情報であり、折り調整の調整情報とは異なる。従って、設定情報「Ｋ０２」とともに調整情報「Ａ０２」を記憶部１に記憶させる。この場合、設定情報「Ｋ０２」と調整情報「Ａ０２」との関連づけもそのまま継続される。
【００５６】
このようにして、設定情報を導入する際に、関連づけられている調整情報を代替する調整情報が記憶部１に記憶されていれば、その調整情報を設定情報に関連づけて使用することから、調整情報の増加が抑えられる。また、代替する調整情報が記憶部１に記憶されていなければ、設定情報とともに調整情報も記憶部１に記憶され、関連づけは失われない。
【００５７】
図６は、本発明の設定記憶装置の実施の一形態における調整情報の修正の一具体例の説明図である。導入の際に調整情報に対して行う修正処理について、具体例を用いて説明しておく。例えば、ある画像形成装置で作成した調整情報を、別の画像形成装置へ導入するものとする。
【００５８】
図６（Ａ）には、作成された折り位置の調整情報の具体例を示している。この例では、調整情報の一つとして、用紙を２つ折りした場合の折り位置を５．６ｍｍずらすことが調整値として設定されているものとしている。この調整情報が作成された画像形成装置では、その画像形成装置に固有の折り位置の調整値が存在する。折り位置の調整情報には、この固有の調整値が含まれている場合がある。固有の調整値を３．１ｍｍとすれば、３．１＋２．５＝５．６であることから、折り位置の調整情報を他の画像形成装置へ導入する際には、固有の調整値を除いた２．５ｍｍを折り位置の調整値として他の画像形成装置へ引き渡せばよい。
【００５９】
図６（Ｂ）には、折り位置の調整値を含む調整情報を導入する際の修正の処理について示している。上述したように、導入する画像形成装置における折り位置の調整値は、引き渡される折り位置の調整値と、導入する画像形成装置に固有の調整値とから修正後の調整値を求める。例えば導入する画像形成装置に固有の調整値が１．２ｍｍであれば、引き渡された調整情報中の折り位置の調整値である２．５ｍｍと加算し、１．２＋２．５＝３．７により修正後の折り位置の調整値を３．７ｍｍに修正し、調整情報として設定記憶部１２に記憶させればよい。
【００６０】
このように調整情報に対して装置固有の調整値によって修正を行い、いずれの画像形成装置に調整情報を導入しても、ずれが生じないようにしている。ここでは折り位置の調整値について示したが、例えば図５（Ｂ）に示した画像形成位置の調整値についても、導入の際に装置固有の調整値に従って修正するとよい。もちろん、他の調整情報についても、装置固有の調整値が存在する場合には、その装置固有の調整値に従って修正すればよい。
【００６１】
このように、調整情報は導入した装置に応じて修正されており、それぞれの装置でバラツキが生じることはない。また、それぞれの装置で異なる調整情報を作成する手間を要しない。
【００６２】
上述の具体例では、使用する用紙に関する情報を設定情報として導入する場合を例にして説明した。しかしこれに限らず、種々の設定される情報を設定情報としてもよく、また、関連するどのような情報を調整情報として関連づけてもよい。
【００６３】
また、ここでは画像形成装置に本発明の設定記憶装置の実施の一形態を適用した例を示したが、もちろん、他の装置でも設定が行われる各種の装置に対して適用してよい。例えば画像読取装置であれば、各種の読取条件を設定情報とし、また関連する情報を調整情報として関連づけ、他の装置で作成した設定情報を導入する場合について、本発明の設定記憶装置の実施の一形態を適用してもよい。
【００６４】
図７は、本発明の設定記憶装置の実施の一形態で説明した記憶制御部の機能をコンピュータプログラムで実現した場合におけるコンピュータプログラム及びそのコンピュータプログラムを格納した記憶媒体とコンピュータの一例の説明図である。図中、２１はプログラム、２２はコンピュータ、３１は光磁気ディスク、３２は光ディスク、３３は磁気ディスク、３４はメモリ、４１はＣＰＵ、４２は内部メモリ、４３は読取部、４４はハードディスク、４５はインタフェース、４６は通信部である。
【００６５】
上述の本発明の設定記憶装置の実施の一形態で説明した記憶制御部２の機能の全部あるいは部分的に、コンピュータが実行するプログラム２１によって実現してもよい。その場合、そのプログラム２１およびそのプログラムが用いるデータなどは、コンピュータによって読み取られる記憶媒体に記憶させておけばよい。記憶媒体とは、コンピュータのハードウェア資源に備えられている読取部４３に対して、プログラムの記述内容に応じて、磁気、光、電気等のエネルギーの変化状態を引き起こして、それに対応する信号の形式で、読取部４３にプログラムの記述内容を伝達するものである。例えば、光磁気ディスク３１、光ディスク３２（ＣＤやＤＶＤなどを含む）、磁気ディスク３３、メモリ３４（ＩＣカード、メモリカード、フラッシュメモリなどを含む）等である。もちろんこれらの記憶媒体は、可搬型に限られるものではない。
【００６６】
これらの記憶媒体にプログラム２１を格納しておき、例えばコンピュータ２２の読取部４３あるいはインタフェース４５にこれらの記憶媒体を装着して、コンピュータからプログラム２１を読み出し、内部メモリ４２またはハードディスク４４（磁気ディスクやシリコンディスクなどを含む）に記憶し、ＣＰＵ４１によってプログラム２１を実行し、上述の本発明の設定記憶装置の実施の一形態で説明した記憶制御部２の機能が全部又は部分的に実現される。あるいは、通信路を介してプログラム２１をコンピュータ２２に転送し、コンピュータ２２では通信部４６でプログラム２１を受信して内部メモリ４２またはハードディスク４４に記憶し、ＣＰＵ４１によってプログラム２１を実行して実現してもよい。
【００６７】
なお、本発明の設定記憶装置の実施の一形態で説明した記憶部１は、例えばハードディスク４４や内部メモリ４２を用いて構成すればよい。
【００６８】
コンピュータ２２には、このほかインタフェース４５を介して様々な装置を接続してもよい。例えば、用紙に画像を形成する画像形成部１１が接続され、また、形成制御部１３の機能を実現するプログラムと一体として、本発明の画像形成装置の実施の一形態における機能をコンピュータ２２により実現してもよい。もちろん、その他の装置がインタフェース４５に接続されていてもよい。なお、各処理が１台のコンピュータにおいて動作する必要はなく、処理段階に応じて別のコンピュータにより処理が実行されてもよい。
【符号の説明】
【００６９】
１…記憶部、２…記憶制御部、３…設定部、１１…画像形成部、１２…設定記憶部、１３…形成制御部、２１…プログラム、２２…コンピュータ、３１…光磁気ディスク、３２…光ディスク、３３…磁気ディスク、３４…メモリ、４１…ＣＰＵ、４２…内部メモリ、４３…読取部、４４…ハードディスク、４５…インタフェース、４６…通信部。
【図１】
2015074179.tif 000003
【図２】
2015074179.tif 000004
【図３】
2015074179.tif 000005
【図４】
2015074179.tif 000006
【図５】
2015074179.tif 000007
【図６】
2015074179.tif 000008
【図７】
2015074179.tif 000009